(57)【要約】【課題】  作業口に固定された内蓋に対し外蓋を容易に着脱することができ、着脱の際に内蓋が引っ張られて止水性が損なわれることのない作業口の蓋構造を提供する。【解決手段】  エプロン４の作業口５Ａを覆蓋する蓋は、作業口５Ａに固定される内蓋６と、内蓋６に対し着脱可能な外蓋１０で構成され、外蓋１０には、立上片１１ａ，１１ｂと、立上片から内側へ突出された引掛け部１２ａ，１２ｂが設けられ、一方の内蓋６には、立上片７ａ，７ｂと、立上片から外側へ突出された引掛け部８ａ，８ｂが設けられ、この外蓋または内蓋の何れかの引掛け部の両端にはテーパー部９ａ，９ｂが形成されてなり、外蓋１０を傾けながら内蓋６に嵌め込む，または取り外す際に、外蓋１０の引掛け部１２ａ，１２ｂが、テーパー部９ａ，９ｂにガイドされて内蓋６の引掛け部８ａ，８ｂに係脱されるように構成する。【選択図】        図２
2005137459.tif 000002
【特許請求の範囲】
【請求項１】
水回り室内の作業口を覆蓋する蓋であって、該蓋は、前記作業口に固定される内蓋と、該内蓋に対し着脱可能な外蓋で構成され、
前記外蓋には、対向する周辺にそれぞれ、内蓋側へ立ち上がった立上片と、該立上片から内側へ突出された引掛け部が設けられ、
一方の前記内蓋には、対向する周辺にそれぞれ、外蓋側へ立ち上がった立上片と、該立上片から外側へ突出された引掛け部が設けられて、前記外蓋または内蓋の何れかの前記引掛け部の両端にはテーパー部が形成されていることを特徴とする作業口の蓋構造。
【請求項２】
前記外蓋および内蓋の引掛け部には、嵌め込み時にガイドとなるガイド傾斜面が形成されていることを特徴とする請求項１に記載の作業口の蓋構造。
【請求項３】
前記外蓋の立上片には、前記内蓋の引掛け部が係合される位置に開口が形成されていることを特徴とする請求項１または請求項２に記載の作業口の蓋構造。
【発明の詳細な説明】
【技術分野】
【０００１】
本発明は、浴室，シャワー室等の水回り室内の壁，エプロン，カウンターなどに設けられた作業口を覆蓋する蓋の構造に関するものである。
【背景技術】
【０００２】
従来、浴室の点検口に設けられる蓋の構造としては、例えば特許文献１に開示されているような構造が存在する。
即ち、浴室の点検口に中蓋が設けられ、この中蓋には係止突起が設けられており、一方、中蓋の係止突起に係合される係止突起を備えた外蓋を備えて、この外蓋の係止突起が中蓋の係止突起に係合されることで、中蓋に外蓋が係合されて取り付けられる構造となっている。
【特許文献１】特開平１１−７００５５号公報
【発明の開示】
【発明が解決しようとする課題】
【０００３】
従来のような蓋構造においては、外蓋を外す際に、中蓋にも引っ張り力が加わり、中蓋が外れる方向に力が加わるために、中蓋と点検口間に設けられたパッキンに隙間が生じ、止水性能が保持されにくくなるという問題点あった。
【課題を解決するための手段】
【０００４】
本発明は上記従来の問題点に鑑み案出したものであって、外蓋を外す際に、内蓋が引っ張られることがなく、止水性能が良好に保持される作業口の蓋構造を提供せんとするものであり、その請求項１は、水回り室内の作業口を覆蓋する蓋であって、該蓋は、前記作業口に固定される内蓋と、該内蓋に対し着脱可能な外蓋で構成され、前記外蓋には、対向する周辺にそれぞれ、内蓋側へ立ち上がった立上片と、該立上片から内側へ突出された引掛け部が設けられ、一方の前記内蓋には、対向する周辺にそれぞれ、外蓋側へ立ち上がった立上片と、該立上片から外側へ突出された引掛け部が設けられて、前記外蓋または内蓋の何れかの前記引掛け部の両端にはテーパー部が形成されていることである。
また、請求項２は、前記外蓋および内蓋の引掛け部には、嵌め込み時にガイドとなるガイド傾斜面が形成されていることである。
また、請求項３は、前記外蓋の立上片には、前記内蓋の引掛け部が係合される位置に開口が形成されていることである。
【発明の効果】
【０００５】
本発明の作業口を覆蓋する蓋は、外蓋を傾けながら内蓋に嵌め込む，または取り外す際に、外蓋または内蓋の何れかの引掛け部の両端に形成されたテーパー部がガイドとなって、外蓋または内蓋の何れかの引掛け部が良好に変形しながら、外蓋の引掛け部が内蓋の引掛け部に係脱されることとなり、外蓋の着脱の際に内蓋が引っ張られることがないために、内蓋は良好な止水性能を維持したまま作業口に固定保持されるものとなる。
【０００６】
また、外蓋および内蓋の引掛け部には、嵌め込み時にガイドとなるガイド傾斜面が形成されていることにより、外蓋を内蓋に嵌め込んでゆく時に、外蓋及び内蓋のそれぞれの引掛け部に形成されているガイド傾斜面にガイドされて、良好に外蓋の引掛け部が内蓋の引掛け部に係合されることとなり、軽い力で内蓋に対し外蓋を嵌め込むことができるものとなる。
【０００７】
また、外蓋の立上片には、内蓋の引掛け部が係合される位置に開口が形成されていることにより、外蓋の立上片には開口が形成されているため立上片に弾性が付与されて、外蓋を内蓋に嵌め込むまたは取り外す際に、外蓋の引掛け部が良好に変位しながら内蓋の引掛け部に係脱されることとなり、外蓋の嵌め込み及び取り外し作業が容易なものとなる。
【実施例】
【０００８】
以下、本発明の実施例を図面に基づいて説明する。
図１は、浴室の斜視構成図であり、浴室１内には、浴槽２が設置されており、浴槽２の洗い場３側にはエプロン４が立設されて、エプロン４には連続してカウンターＫが設けられ、このカウンターＫ及びエプロン４には、それぞれ作業口５Ａ，５Ｂが形成されたものとなっている。
【０００９】
この作業口５Ａ，５Ｂには、図２の分解図で示すように、それぞれ内蓋６が固定され、内蓋６に対し着脱可能に外蓋１０が取り付けられている。
エプロン４側の作業口５Ａについて、図２の分解斜視図で詳しく説明する。
なお、図５は、作業口５Ａに対し内蓋６と外蓋１０を取り付ける前の分解平面拡大構成図であり、図６は、取り付けた状態の平面拡大構成図である。
【００１０】
作業口５Ａは、エプロン４に凹み状に凹部４ａを形成して、この凹部４ａの底側中央部に開口形成されており、作業口５Ａの外周側には、内蓋固定用孔４ｂ，４ｂ，４ｂが複数個形成されている。
内蓋６は、作業口５Ａよりも大径に形成されており、内蓋６には、作業口５Ａの外周に形成された複数の内蓋固定用孔４ｂ，４ｂ，４ｂに整合する複数のネジ通し孔６ａ，６ａ，６ａが形成されている。
【００１１】
また、図３に要部を拡大して示すように、内蓋６の表側の左右端には、左立上片７ａと右立上片７ｂが、それぞれ縦方向に外蓋１０側へ向かって垂直に形成されており、左立上片７ａ及び右立上片７ｂの前端側には、外側へ突出されて左引掛け部８ａと右引掛け部８ｂがそれぞれ一体形成されている。また、左引掛け部８ａ及び右引掛け部８ｂには、それぞれ上下端に上テーパー部９ａ及び下テーパー部９ｂがテーパー状に形成されている。
また、左引掛け部８ａ及び右引掛け部８ｂの前端外側面は、前端側から後端側に向かって傾斜したガイド傾斜面６Ｓとなっており、このガイド傾斜面６Ｓは、左引掛け部８ａ及び右引掛け部８ｂの長手方向全域に亘って形成されている。
なお、左引掛け部８ａ及び右引掛け部８ｂは、上下方向に連続して形成されていても、また中央部が削除されて形成されていても良い。
【００１２】
一方、外蓋１０は、内蓋６に前面側から被せて、内蓋６を覆蓋できるものであり、外蓋１０の外周には、内蓋６側へ垂直に突出して左立上片１１ａと右立上片１１ｂが形成されており、それぞれの立上片１１ａ，１１ｂの後端側には、内側へ突出して左引掛け部１２ａと右引掛け部１２ｂが一体形成されている。
また、外蓋１０の左立上片１１ａと右立上片１１ｂには、左引掛け部１２ａと右引掛け部１２ｂのそれぞれの奥側の、内蓋６の左引掛け部８ａ及び右引掛け部８ｂが係合される位置に、開口Ｍ，Ｍが形成されている
【００１３】
なお、図４に一部を拡大して斜視図で示すように、外蓋１０の左引掛け部１２ａと右引掛け部１２ｂにもそれぞれガイド傾斜面１０Ｓが形成されている。
また、この左引掛け部１２ａと右引掛け部１２ｂのそれぞれの上下端にテーパー部９ａ及び９ｂを形成させておくこともできる。
なお、内蓋６側にテーパー部９ａ，９ｂが形成されている場合には、外蓋１０側のテーパー部は不要であり、テーパー部９ａ，９ｂは、内蓋６または外蓋１０の何れか側の引掛け部の上下端に形成しておくことができる。
この内蓋６及び外蓋１０は、図５及び図６に示すように、エプロン４に形成した凹部４ａ内に嵌まり込む寸法形状に設定されている。
【００１４】
先ず、作業口５Ａに対しパッキン１３を介在させて、内蓋６を固定ネジ１４，１４，１４で凹部４ａに固定状に取り付ける。即ち、複数の固定ネジ１４をそれぞれワッシャ１５を介在させて内蓋のネジ通し孔６ａ内に通し、更にエプロン４の内蓋固定用孔４ｂにねじ込んで、作業口５Ａの前面にパッキン１３を介在させて水密状に内蓋６を固定する。
このように内蓋６をパッキン１３で止水性能を確保して、予め作業口５Ａに取り付けておき、この内蓋６に対し、洗い場３側から外蓋１０を着脱できるものである。
【００１５】
外蓋１０を取り付けた状態では、図６に示すように、内蓋６の左右の立上片７ａ，７ｂの外側であって、内蓋の左右の引掛け部８ａ，８ｂの奥側に、外蓋１０の左右の引掛け部１２ａ，１２ｂが係合されて、内蓋６に外蓋１０が取り付けられるのである。
【００１６】
この外蓋１０を取り付けるには、図７の縦断面構成図で示すように、内蓋６に対し外蓋１０の上端側を傾けながら引っ掛けて、外蓋１０の下端側を徐々に内蓋６側へ移動させてゆくことで、良好に外蓋１０を内蓋６に嵌め込むことができるものである。
即ち、外蓋１０を嵌め込む際に、外蓋１０の左右の引掛け部１２ａ，１２ｂが、内蓋の左右の上テーパー部９ａ，９ａにガイドされて嵌め込まれ、外蓋１０の下端側を内蓋６側へ押し込んでゆくと、外蓋及び内蓋のそれぞれの引掛け部に形成されているガイド傾斜面６Ｓ，１０Ｓにガイドされ、しかも、外蓋には開口Ｍが形成されているため、外蓋の引掛け部１２ａ，１２ｂが良好に変位しながら、外蓋１０の左右の引掛け部１２ａ，１２ｂが内蓋の左右の引掛け部８ａ，８ｂに係合されてゆき、外蓋１０はガタつくことなく良好に内蓋６に取り付けられることとなる。
【００１７】
なお、逆に、外蓋１０を取り外す際には、図８に示すように、外蓋１０の下端側を洗い場側３へ剥がして、徐々に下端側を上方へ引き上げてゆくことで、良好に外蓋１０を内蓋６から外すことができるものである。
即ち、この場合は、内蓋の左右の引掛け部８ａ，８ｂの下端側に設けられている下テーパー部９ｂ，９ｂにガイドされて、外蓋１０の左右の引掛け部１２ａ，１２ｂが、良好に内蓋の左右の引掛け部８ａ，８ｂから外されることとなる。
【００１８】
この外蓋１０の取り外し時には、下端側から捲り上げるようにして外蓋１０を取り外すことができるため、取り外し時に、内蓋６を洗い場３側へ引っ張る力は作用せず、そのため、外蓋１０を取り外す際にパッキン１３が作業口５Ａの外周から剥がされることはなく、内蓋６は良好な止水性能を保持したままの状態で、良好に内蓋６に対し外蓋１０を着脱できるものとなる。
【００１９】
なお、図１〜図８の説明では、内蓋６及び外蓋１０には、左右端側にそれぞれ引掛け部８ａ，８ｂ，１２ａ，１２ｂを上下方向に設けたものを例示しているが、図９に示すように、内蓋６及び外蓋１０の引掛け片８ａ，８ｂ，１２ａ，１２ｂを水平方向に配置させることもでき、この場合は、内蓋６の上引掛け部８ａの左端に左テーパー部９ａが、右端に右テーパー部９ｂが形成されることとなる。同様に、下引掛け部８ｂの左端には左テーパー部９ａが形成され、右端には右テーパー部９ｂが形成されることとなる。
【００２０】
この図９のような構成では、外蓋１０を内蓋６に取り付ける際には、左右何れか端側のテーパー部９ａまたは９ｂにガイドさせて、外蓋１０を傾けながら内蓋６に嵌め込んでゆくことができ、外蓋の引掛け部１２ａ，１２ｂが良好に内蓋の引掛け部８ａ，８ｂに係合されることとなる。
同様に、外蓋１０を取り外す際には、左右何れか側から剥がすようにして、良好に外蓋１０を取り外すことができるものであり、取り外し時に、内蓋６には洗い場側へ引っ張る力が作用せず、良好な止水性能を保持できるものである。
【図面の簡単な説明】
【００２１】
【図１】浴室の斜視構成図である。
【図２】エプロンに形成された作業口と、内蓋と外蓋の分解斜視構成図である。
【図３】内蓋の要部拡大構成図である。
【図４】外蓋の要部拡大構成図である。
【図５】内蓋の取り付け前の平面拡大構成図である。
【図６】内蓋及び外蓋を取り付けた状態の平面拡大構成図である。
【図７】外蓋を取り付ける際の作業状態を示す縦断面構成図である。
【図８】外蓋を内蓋から取り外す際の作業状態を示す縦断面構成図である。
【図９】内蓋及び外蓋をそれぞれ立上片及び引掛け部を略水平方向にして使用する場合の分解斜視図である。
【符号の説明】
【００２２】
１  浴室
２  浴槽
３  洗い場
４  エプロン
４ａ  凹部
４ｂ  内蓋固定用孔
５Ａ，５Ｂ  作業口
６  内蓋
６ａ  ネジ通し孔
７ａ  左立上片
７ｂ  右立上片
８ａ  左引掛け部
８ｂ  右引掛け部
９ａ  上テーパー部
９ｂ  下テーパー部
１０  外蓋
１１ａ  左立上片
１１ｂ  右立上片
１２ａ  左引掛け部
１２ｂ  右引掛け部
１３  パッキン
１４  固定ネジ
６Ｓ，１０Ｓ  ガイド傾斜面
Ｍ  開口
【図１】
2005137459.tif 000003
【図２】
2005137459.tif 000004
【図３】
2005137459.tif 000005
【図４】
2005137459.tif 000006
【図５】
2005137459.tif 000007
【図６】
2005137459.tif 000008
【図７】
2005137459.tif 000009
【図８】
2005137459.tif 000010
【図９】
2005137459.tif 000011